(57)【要約】  【課題】物を収集する領域とその他の領域を容易に道路上等に形成することができる自立型囲い部材を提供すること。  【解決手段】  本発明の自立型囲い部材は、平面と底面が開放されていて、その周囲の４面が矩形の面で覆われた筒状に形成されている。矩形の面のうち、正面及び背面は、両側面の幅に対して、約２倍の幅となるように形成されていて、全体として略直方体をなしている。それぞれの稜線には、袋体が形成されており、棒状の剛性部材が挿入されている。【選択図】図１
2005335829.tif 000002
【特許請求の範囲】
【請求項１】
柔軟なシート部材又は網状体で形成された横長の長方形の正面及び背面と、この正面及び背面に対して横幅が約１／２の幅に形成された左右側面と、を有し、平面及び底面が開放されてなる囲い部材であって、
各稜線又はその稜線の近傍に形成された袋体と、各稜角で屈曲自在となるように該袋体内に挿入された剛性部材と、を備え、
前記正面及び背面の長辺に挿入された剛性部材は、該長辺の中心で屈曲自在となるように分割して形成されており、この分割された剛性部材を直線状に固定するために、上長辺の一部を取り囲むように、かつ前記上長辺をスライド自在に形成された固定部材を備えていることを特徴とする折り畳み自在の自立型囲い部材。
【請求項２】
正面と背面の稜線を互いに懸架している剛性部材を備えていることを特徴とする請求項１に記載の折り畳み自在の自立型囲い部材。
【請求項３】
正面及び背面の中央又はその近傍に、剛性部材を備えていることを特徴とする請求項１から２のいずれかに記載の折り畳み自在の自立型囲い部材。
【請求項４】
正面及び背面の高さが異なることを特徴とする請求項１から３のいずれかに記載の折り畳み自在の自立型囲い部材。
【請求項５】
背面の上長辺で延設された蓋部を備えていることを特徴とする請求項１から４のいずれかに記載の折り畳み自在の自立型囲い部材。
【請求項６】
前記蓋部は、蓋部の内側に開閉可能な開閉部を具えていることを特徴とする請求項１から５のいずれかに記載の折り畳み自在の自立型囲い部材。
【発明の詳細な説明】
【技術分野】
【０００１】
本発明は、物を収集する領域とその他の領域を平地に容易に設けることができる自立型囲い部材に関する。
【背景技術】
【０００２】
一般家庭のゴミ出しなどで、通常時には道路や歩道として使用されており、収集日に限って一般の道路の隅などを仮設の収集場所として使用されている場所がある。このような場所において収集されるゴミは、一般家庭でゴミ袋に溜められ、市町村によって定められたゴミ収集日に、そのゴミ袋を道路上に捨て置くことによってなされているのが現状である。
【０００３】
しかし、このような方法では、ゴミ袋の載置領域を明確に限定することができないため、ゴミ袋がその周囲一体の広い範囲に散乱してしまうことが多かった。こうした事態は道路をゴミが占領し、歩行者や車の走行を阻害し、また道路の景観を損ねるものとなっていた。また、カラスや小動物によってゴミを散乱させてしまうといった事態も生じていた。
【０００４】
そこで、本発明者は、このような場所に設置してゴミ容器とすることができる安価で簡易な折り畳み式の容器を提案した。この容器は、屈曲自在な５枚の面部を夫々連結して形成され上面が開放する立方体状の箱体と、箱体上端部の各辺部及び２個の面部で形成する稜線に、対応する稜角との間に間隔を存して連結され、該辺部及び稜線に剛性を付与する補強部材と、各稜角に位置して該稜角に接する面部に取着されるとともに３個の補強部材との間を連結する屈曲自在な自在接手を備え、箱体を、非使用時には各面部の対角線に沿って折り曲げて全ての補強部材が平行に配置された三角形状に折り畳むようにしたものである（特許文献１参照）。この折り畳み容器は、ゴミ収集のみに使用されるものではないが、小さく折り畳むことができ、収納場所に困らず、また、使用時に容易に組立可能で安価なことから、ゴミ収集場所の容器として使用されてきた。
【０００５】
しかし、この容器は、ゴミを収納した後、ゴミ収集車にゴミ袋を収集するときにゴミを容器内から取り出しにくいという問題点があった。
【特許文献１】特開平１０−１１４３２９号公報
【発明の開示】
【発明が解決しようとする課題】
【０００６】
そこで、本発明は以上のような問題点を鑑みてなされたものであり、物を収集する領域とその他の領域を容易に道路上に形成することができる自立型囲い部材を提供することにある。
【課題を解決するための手段】
【０００７】
以上のような課題を解決するために、請求項１に係る発明が採った手段は、柔軟なシート部材又は網状体で形成された横長の長方形の正面１０及び背面２０と、この正面１０及び背面２０に対して横幅が約１／２の幅に形成された左右側面３０、４０と、を有し、平面５０及び底面６０が開放されてなる囲い部材１００であって、
各稜線（ａ、ｂ、ｃ等）又はその近傍に形成された袋体７０と、各稜角ｅで屈曲自在となるように該袋体７０内に挿入された剛性部材８０と、を備え、前記正面１０及び背面２０の長辺ｂ、ｃに挿入された剛性部材８０は、該長辺ｂ、ｃの中心で屈曲自在となるように分割して形成されており、この分割された剛性部材８０を直線状に固定するために、上長辺ｃの一部を取り囲むように、かつ前記上長辺ｃをスライド自在に形成された固定部材９０を備えていることを特徴とする折り畳み自在の自立型囲い部材１００、とするものである。
【０００８】
この自立型囲い部材１００は、平面５０と底面６０が開放されていて、その周囲の４面が矩形の面で覆われた筒状に形成されている。正面１０及び背面２０は、両側面３０、４０の幅に対して約２倍の幅となるように形成されていて、自立型囲い部材１００は、全体として略直方体をなしている。それぞれの稜線（ａ、ｂ、ｃ等）には袋体７０が形成されており、棒状の剛性部材８０が挿入されている。この剛性部材８０は、自立開口を保持するために挿入されるものである。従って、囲い部材１００を自立させる程度の剛性を有するものであれば、その素材は限定されるものではなく、金属でもよいし、プラスチック等であってもよい。また、その断面形状も、円形に限られない。さらに、各剛性部材８０は、折り畳み可能とするため各稜角ｅにおいて互いに間隔を空けて設けられ、各稜角ｅにおいて屈曲自在となるように形成されている。なお、縦方向の剛性部材８０を稜線ａ上ではなく、稜線ａの近傍、すなわち、稜線aからずらして袋体７０を設けてそこに剛性部材８０を挿入すると、折り畳んだときに剛性部材８０が端部から少しずれるため、端部は折り畳み易いシート部分となり折り畳みが容易になる。
【０００９】
また、袋体７０内に挿入された剛性部材８０のうち、直方体の長辺部分（正面及び背面の上下の辺）に挿入される剛性部材８０は、略中央において分割して形成されており、その部分で折り曲げることができる。従って、全体として図１２に示したように交互に小さく折り畳むことができる。さらに、囲い部材１００が自立しているときに、この分割部分で折れてしまうことを防止するため、固定部材９０が設けられている。この固定部材９０は、剛性部材８０が挿入された上長辺ｃの周囲を取り囲むように形成されている。そして、固定部材を上長辺ｃにスライドさせて、分割された両方の剛性部材８０を取り囲んだときに、それぞれの剛性部材８０を直線状に固定することができるようにされている。こうして長辺ｃにおいて屈曲可能に形成したにもかかわらず、組立時には自立することができるようになる。なお、本明細書及び特許請求の範囲で平面、正面、背面、左右側面、底面とは、図１で示されているときに１０が正面である状態のそれぞれの面を指す。
【００１０】
さらに、請求項２に係る発明が採った手段は、正面１０と背面２０の稜線ｃ、ｄを互いに懸架している剛性部材８１を備えていることを特徴とする請求項１に記載の折り畳み自在の自立型囲い部材１００、とするものである。自立した状態をさらに安定化させたものである。すなわち、対面側にある上長辺同士ｃ、ｃ及び下長辺ｂ、ｂ同士を剛性部材８１で懸架して開口幅が変化しないように固定したものである。この剛性部材８１と長辺ｃ、ｂとの間も屈曲自在に形成されていて、折り畳み可能に形成されている。
【００１１】
さらに、請求項３に記載された発明が採った手段は、正面１０及び背面２０の中央又はその近傍に、剛性部材８２を備えていることを特徴とする請求項１又は２に記載の折り畳み自在の自立型囲い部材１００、とするものである。平面１０及び背面２０は、側面３０、４０より大きいので面形状の安定性を確保するため、及びこの中央部分で折り曲げて折り畳むため、折り畳まれたときに形成される端部又はその近傍に剛性を付与したものである。なお、この正面１０及び背面２０の中央は折り畳んだときに折れ部（図１１参照）を形成するため、中央より若干左右にずらして剛性部材１０を配することによって、折れ部に剛性部材が存させることなく、折れ曲げ易くすることができる。
【００１２】
さらに、請求項４に記載された発明が採った手段は、正面１０及び背面２０の高さが異なることを特徴とする請求項１から３のいずれかに記載の折り畳み自在の自立型囲い部材１００、とするものである。これは主として正面１０側の面の高さを低くすることにより、背面側の収納高さを確保しつつ、正面１０側から物を入れやすくしたものである。
【００１３】
さらに、請求項５に記載された発明が採った手段は、背面２０の上長辺から延設された蓋部１１０を備えていることを特徴とする請求項１から４のいずれかに記載の折り畳み自在の自立型囲い部材１００、とするものである。カラスなどの被害を防止するために、ゴミを収集した後に蓋をすることができるようにしたものである。
【００１４】
さらに、請求項６に記載された発明が採った手段は、前記蓋部１１０は、蓋部１１０の内側にさらに開閉可能な開閉部１１１を備えていることを特徴とする請求項１から５のいずれかに記載の折り畳み自在の自立型囲い部材１００、とするものである。これは、平面１０の蓋部１１０の内側をさらに開閉可能にしたものである。従って、蓋部１１０自体を閉めた状態のまま物を入れることができるようになる。蓋部１１０が正面１０又は／及び側面２０又は３０と面ファスナー等により固定できる状態としておけば、蓋部１１０によって平面５０の開口部の形状が固定されるため、より安定して自立状態を保持することができる。
【発明の効果】
【００１５】
本発明に係る自立型囲い部材によれば、略直方体の枠体として平地に設置するだけで、物の収集領域とその他の領域を区別することができるようになる。しかも、安定して自立することが可能である。さらに、両側面とほぼ同等の大きさの平板状にまで、交互に折り畳むことができるため、収納に困ることがない。
【発明を実施するための最良の形態】
【００１６】
本発明の自立型囲い部材の最良の実施形態について、実施例とともに図に従って説明する。実施例における本発明の実施例における自立型囲い部材１００は、平面５０と底面６０が開放した４つの矩形面で周囲を囲うように全体が略直方体の筒状に形成されている。正面１０及び背面２０の横幅は１２３ｃｍに、側面３０、４０の横幅は６０ｃｍに、正面１０の高さが７０ｃｍにされている。このように正面１０及び背面の横幅が側面３０，４０の横幅に対して約２倍の長さにしてある理由は、折り畳んだときに正面１０を半分に折り畳むことによって、側面３０、４０の幅に折り畳むことができるようにするためである。しかし、現実には、シート材や剛性部材８２等には、厚みがあるので、多少正面及び横幅が若干広く形成されている。従って、「該正面及び背面に対して横幅が約１／２で形成された」というのは、交互に折り畳むときに必要な折り白の余裕があっても構わないとの意である。シート材は、柔軟性を有する平面シートを用いることもできるが、実施例では、格子が５ｍｍ程度の網材が使用されている。網材を用いれば、内部の状態が分かり易くなるからである。
【００１７】
各稜線（ａ、ｂ、ｃ等）には、筒状の袋体７０、７１が形成され、その筒状の内部にプラスチック製の剛性部材８０が挿入されている。この剛性部材８０によって、自立型囲いは自立性を確保されている。それぞれの稜角ｅにおいては、互いに間隔を開けて挿入されており、各稜角ｅで屈曲自在に形成されている。挿入される剛性部材８０のうち、正面１０及び背面２０の上下に挿入される剛性部材８０は略中心で分割されており、それぞれ互いに隙間を空けて配置されている。従って、正面１０及び背面２０の上下の稜線ｂ、ｃは中心で屈曲自在に形成される。さらに、正面１０及び背面２０の中心に、高さ方向に袋体７２が形成されていて、その内部に剛性部材８２が挿入されている。これは中心での自立性安定性の向上を図るためのものである。なお、これら剛性部材に使用される素材は、囲い部材１００を自立させる程度の剛性があれば、特に限定するものではない。また、太さや断面形状についても特に限定するものではない。
【００１８】
剛性部材のうち、先述したように正面１０及び背面２０の上下に挿入される剛性部材８０は、略中心で分割して形成されている。従って、この状態のままでは、その部位で折れ曲がってしまい自立開口することができない。そこで分割された剛性部材８０を直線上に固定するため固定部材９０が設けられている。固定部材９０は、剛性部材８０の剛性部材８０の形状に沿って周囲を取り囲んで挟持するようにされている。さらに、図２に示すように固定部材９０は剛性部材８０が挿入された上長辺ｃを自在にスライドできるように形成されている。従って、スライドして両方の剛性部材８０を挟持することで、双方の剛性部材８０を直線上に固定することができる。また、片方の剛性部材８０のみを挟持するようにすれば、屈曲自在に形成することができる。
【００１９】
さらに、自立型囲い部材１００の自立開口の安定性を強化する手段として、平面５０と底面６０の中央に剛性部材８１が架設されている。この剛性部材８１は、稜線ｂ同士、又は稜線ｃ同士との間を架設するように袋体を形成し、その内部に剛性部材８１が挿入されている。これら剛性部材と稜線との連結部においても、同様に空間を空けて配設され屈曲自在に形成されている。
【００２０】
さらに、自立開口の安定性を強化するために、支持部材を随時取り付けても良い。例えば、図１に示したように、両側面３０、４０の自立開口の安定性を強化するために、左右側面の中央に上下に支持部材を取り付けるといった方法が考えられる。ここに取り付けられる支持部材は、その部位で折り曲げられるものではないので、必ずしも棒状ではなく平板状のものでも構わないし、袋体内に挿入しなくてもよい。
【００２１】
さらに、本実施例においては、内部に物を収容しやすくするために、図３のように正面１０の高さを背面２０の高さより低く形成してもよい。このように形成することで、背面２０側の収納高さを確保しつつ、投入側の正面１０は低く形成できるため、容易に物を中に入れやすくなる。
【００２２】
さらに、カラスなどの鳥からの被害を防止するため、蓋部１１０が設けられている。蓋部１１０は、平面全体を覆うように平面より若干大きく形成されており、左右に二分割して形成され、背面２０側の上長辺ｃから延設するように連結して形成されている。平面５０からはみ出た蓋部１１０は、正面１０の上方付近で互いに面ファスナーで取り付けられる。このとき側面との間においても固定できるように、蓋部１１０を側面３０、４０側にはみ出るように形成し、側面３０、４０上方に面ファスナーを設けてもよい。蓋部１１０も、柔軟なシート材や網状シートで形成されており、その周囲の辺に袋体を形成してその内部に剛性部材８３が挿入されている。剛性部材８３を挿入すれば、蓋部１１０の形状が矩形に保たれ開閉がしやすくなる。また、蓋部１１０は必ずしも二分割して形成する必要はなく、一体に形成しても構わない。
【００２３】
蓋部１１０を閉めると、カラスなどの鳥の被害を防止するだけでなく、自立形状の変化を防止することができる。つまり、蓋部１１０を閉めて面ファスナーで周囲の面と固定すると、蓋部１１０の形状によって開口部の形状が固定されるため、風などによって開口平面が変化するのを防止してくれるのである。
【００２４】
蓋部１１０の周囲は、自立型囲い部材１１０の周囲の面と面ファスナーで固定された状態のまま、図５のように内側にさらなる開閉部１１１を設けて、この開閉部１１１だけを開閉することができるように形成すると、形状安定効果を保持したまま物を出し入れすることができる。このとき、開閉部１１１の形成方法としては、内側を切り欠いて周囲にファスナーで開閉可能にしたり、又は蓋部１１０に開口を形成しておいて、その開口に一回りを大きな蓋状の部材を取り付けてものよい。
【００２５】
こうして形成された自立型囲い部材１００は、略直方体の状態で自立保持して、物を収集する内部領域と周囲との境界を画することができるようになる。従って、例えば、道路の隅に囲い部材１００を設置すれば、ゴミの収集領域を形成することができるのである（図６）。そして、収集されたゴミを回収する場合においても、比較的高い位置にある上面から取り出すことなく、内部に物が収納された状態のまま囲いを引き上げることにより、容易に囲い部材を外すことができ、その後、物を運び出せばよい（図７参照）。勿論、上面から取り出しても構わない。
【００２６】
そして、使用後は、図８のように、固定部材９０を中央からずらし上長辺の中心で折り曲げられるようにした後、図９のように正面１０と背面２０を横方向にずらすように折り畳むことで一枚の平面状にすることができ（図１０）、その後、交互に折り畳むことによって（図１１）、図１２のように側面とほぼ同様の大きさにまで折り畳むことができる。従って、使用後は、狭い隙間等に収納しておくことができ、携帯性に優れた簡易な囲い部材として利用することができる。なお、折り畳まれた状態から囲いとして使用する場合には、上記手順の逆を行えばよい。
【図面の簡単な説明】
【００２７】
【図１】実施例に係る折り畳み自在の自立型囲い部材の一部切り欠き斜視図である。
【図２】実施例に係る折り畳み自在の自立型囲い部材の稜線のうち、上長辺の拡大図である。
【図３】実施例の折り畳み自在の自立型囲い部材の変形例を示す図である。
【図４】実施例の折り畳み自在の自立型囲い部材の蓋部を閉じた状態を示す斜視図である。
【図５】実施例の折り畳み自在の自立型囲い部材の蓋部にさらに開閉部を設けた状態を示す斜視図である。
【図６】実施例の折り畳み自在の自立型囲い部材にゴミ袋を導入した状態を示す斜視図である。
【図７】実施例の折り畳み自在の自立型囲い部材にゴミ袋を導入した状態から囲い部材を外した状態を示す斜視図である。
【図８】実施例の折り畳み自在の自立型囲い部材を折り畳む工程を示した工程図である。
【図９】実施例の折り畳み自在の自立型囲い部材を折り畳む工程を示した工程図である。
【図１０】実施例の折り畳み自在の自立型囲い部材を折り畳む工程を示した工程図である。
【図１１】実施例の折り畳み自在の自立型囲い部材を折り畳む工程を示した工程図である。
【図１２】実施例の折り畳み自在の自立型囲い部材を折り畳む工程を示した工程図である。
【符号の説明】
【００２８】
１０              正面
２０              背面
３０、４０        左右側面
５０              平面
６０              底面
７０、７１、７２  袋体
８０、８１、８２  剛性部材
９０              固定部材
１００            囲い部材
１１０            蓋部
ａ、ｂ、ｃ        稜線
ｅ                稜角
【図１】
2005335829.tif 000003
【図２】
2005335829.tif 000004
【図３】
2005335829.tif 000005
【図４】
2005335829.tif 000006
【図５】
2005335829.tif 000007
【図６】
2005335829.tif 000008
【図７】
2005335829.tif 000009
【図８】
2005335829.tif 000010
【図９】
2005335829.tif 000011
【図１０】
2005335829.tif 000012
【図１１】
2005335829.tif 000013
【図１２】
2005335829.tif 000014